(57)【要約】【課題】  基礎ブロックの効率的な設置を可能とする基礎ブロックの設置方法及びそれに用いる基礎ブロックを提供する。【解決手段】  基礎ブロック１１の、上方に向けられた底面１３に、インサート１４を介して調整ボルト２１を螺合させる。次に、一対の穴１５ａ、１５ｂにワイヤ１８に接続された吊り金具１９ａ、１９ｂを取付け、図示しないクレーン機能付きバックホウ等を用いてワイヤ１８を介して基礎ブロック１１を吊上げた状態で底面１３を下方に反転させ、基礎ブロック１１を図示しない金属プレートを介して基礎地盤上に設置する。次に、調整ボルト２１を調整して基礎ブロック１１を所望の高さ位置に合わせる。次に、基礎ブロック１１の側壁の下方部分を含むように生コンクリートを打設する。これにより基礎ブロック１１の迅速且つ正確な設置が容易となる。【選択図】      図３
2014173399.tif 000002
【特許請求の範囲】
【請求項１】
構造物をその上に取付けるためのコンクリートよりなる基礎ブロックの設置方法であって、
前記基礎ブロックの、上方に向けられた底面に、設置高さを調整するための調整ボルトを螺合させる工程と、
前記基礎ブロックを吊上げ、前記底面を下方に反転させて基礎地盤の上に設置する工程と、
前記調整ボルトを調整して、前記基礎ブロックの設置高さを所望の位置に合わせる工程と、
前記基礎ブロックの側壁の下方部分を含むように生コンクリートを前記基礎地盤の上に打設する工程とを備えた、基礎ブロックの設置方法。
【請求項２】
前記調整ボルトは、少なくとも３本取付けられる、請求項１記載の基礎ブロックの設置方法。
【請求項３】
前記基礎地盤の上であって前記調整ボルトに対応する位置に、金属プレートが配置される、請求項１又は請求項２記載の基礎ブロックの設置方法。
【請求項４】
前記基礎ブロックは複数個が前記基礎地盤の上の所定の位置に配置され、
前記金属プレートは、前記基礎地盤の上であって前記基礎ブロックの各々の前記調整ボルトに対応する位置に配置される、請求項３記載の基礎ブロックの設置方法。
【請求項５】
基礎地盤上に設置され、構造物をその上に取付けるためのコンクリートよりなる基礎ブロックであって、
ブロック本体と、
前記ブロック本体の底面に着脱自在に取付けられ、前記ブロック本体の前記基礎地盤からの設置高さを調整する、少なくとも３本の調整ボルトと、
前記ブロック本体の側面の対向する位置に設けられ、前記ブロック本体を上下反転可能とするための吊上げ用の一対の穴とを備えた、基礎ブロック。
【発明の詳細な説明】
【技術分野】
【０００１】
この発明は基礎ブロックの設置方法及び基礎ブロックに関し、特に構造物をその上に取付けるためのコンクリートよりなる基礎ブロックの設置方法及びそれに用いる基礎ブロックに関するものである。
【背景技術】
【０００２】
太陽光発電で利用される太陽光パネルは、近年、屋根への設置だけではなく、地上への設置の需要も増加している。又、２０１２年７月からの再生可能エネルギー固定買取制度の開始を受けて、メガソーラー（大規模太陽光発電所）の導入に関心が高まっている。
【０００３】
図１１は、従来の、地上に設置されたメガソーラーの外観形状を示した概略図である。
【０００４】
図を参照して、メガソーラー６１は、太陽光パネル６２と、太陽光パネル６２を支持する支柱６４と、基礎地盤８３上に設けられた基礎コンクリート７０と、その上に配置された基礎ブロック６７と、支柱６４に接続され、基礎ブロック６７上に支柱６４を取付けるための支柱ベース６５とを中心として構成されている。
【０００５】
図１２は図１１におけるＸＩＩ−ＸＩＩラインの断面図である。
【０００６】
図を参照して、プレキャストされた基礎ブロック６７を設置するにあたり、初めに、不陸整正された基礎地盤８３上に基礎コンクリート７０を打設する。次にその上に空練の敷モルタル７１（２ｃｍ程度）を引き均し、その上に基礎ブロック６７は設置される。又、基礎ブロック６７上方にはインサート６８が埋め込まれており、支柱６４は、支柱ベース６５の図示しない穴を貫通させたボルト７３をインサート６８にねじ込むことで取付けられている。
【０００７】
このようにしてプレキャストされた基礎ブロックを設置する方法の他に、例えばメガソーラーを設置する現場において基礎ブロックを打設する方法が存在する。
【０００８】
図１３は、他の従来の、現場での打設によって形成された基礎ブロックの周辺の概略構成を示した断面図である。
【０００９】
図を参照して、基礎ブロック６７を打設するにあたり、初めに、不陸整正された基礎地盤８３上に基礎コンクリート７０を打設する。次にその上にアンカーボルト７５を差筋して埋め込む。そして基礎コンクリート７０を養生後、アンカーボルト７５に下部用ナット７６を装着し、さらに支柱６４に接続された支柱ベース６５の図示しない穴にアンカーボルト７５を貫通させ、さらに上部用ナット７７を装着して支柱６４を仮留めする。それから下用部ナット７６を回転させて支柱ベース６５の高さ調整を行う。そして高さ調整が終了したら上部用ナット７７を締付けて支柱６４を固定する。それから支柱６４を囲むように型枠７９を配置し、その内部に生コンクリートを打設し、それを硬化させることで基礎ブロック６７を形成する。
【発明の概要】
【発明が解決しようとする課題】
【００１０】
しかしながら図１２に示した基礎ブロックの設置方法であれば、モルタル７１を均等に敷き均さなければ基礎ブロック６７の正確な高さ調整を行うことができない。しかしながらモルタル７１は手作業で感に頼りながら引き均すため、均等に引き均すのは困難である。このような理由により、基礎ブロック６７の高さ調整の際には、支柱ベース６５の下に図示しない鉄板等を挿入しなければならない。
【００１１】
一方で、図１３に示した現場で基礎ブロックを打設する方法であれば、基礎ブロックを完成させるまでに多数の工程を経なければならない。そのため、メガソーラーの設置等で多数の基礎ブロック６７の設置を要する場合、工期が長くかかってしまう。
【００１２】
この発明は、上記のような課題を解決するためになされたもので、基礎ブロックの効率的な設置を可能とする基礎ブロックの設置方法、及びそれに用いる基礎ブロックを提供することを目的とする。
【課題を解決するための手段】
【００１３】
上記の目的を達成するために、請求項１記載の発明は、構造物をその上に取付けるためのコンクリートよりなる基礎ブロックの設置方法であって、基礎ブロックの、上方に向けられた底面に、設置高さを調整するための調整ボルトを螺合させる工程と、基礎ブロックを吊上げ、底面を下方に反転させて基礎地盤の上に設置する工程と、調整ボルトを調整して、基礎ブロックの設置高さを所望の位置に合わせる工程と、基礎ブロックの側壁の下方部分を含むように生コンクリートを前記基礎地盤の上に打設する工程とを備えたものである。
【００１４】
このように構成すると、調整ボルトは上方に向けられた底面に取付けられる。
【００１５】
請求項２記載の発明は、請求項１記載の発明の構成において、調整ボルトは、少なくとも３本取付けられるものである。
【００１６】
このように構成すると、調整ボルトの少なくとも３本は、基礎地盤の上に常に当接状態になる。
【００１７】
請求項３記載の発明は、請求項１又は請求項２記載の発明の構成において、基礎地盤の上であって調整ボルトに対応する位置に、金属プレートが配置されるものである。
【００１８】
このように構成すると、金属プレートの上に設置された調整ボルトの下面の摩擦抵抗が軽減する。
【００１９】
請求項４記載の発明は、請求項３記載の発明の構成において、基礎ブロックは複数個が基礎地盤の上の所定の位置に配置され、金属プレートは、基礎地盤の上であって基礎ブロックの各々の調整ボルトに対応する位置に配置されるものである。
【００２０】
このように構成すると、金属プレートの配置が基礎ブロックの各々の設置位置の目安になる。
【００２１】
請求項５記載の発明は、基礎地盤上に設置され、構造物をその上に取付けるためのコンクリートよりなる基礎ブロックであって、ブロック本体と、ブロック本体の底面に着脱自在に取付けられ、ブロック本体の基礎地盤からの設置高さを調整する、少なくとも３本の調整ボルトと、ブロック本体の側面の対向する位置に設けられ、ブロック本体を上下反転可能とするための吊上げ用の一対の穴とを備えたものである。
【００２２】
このように構成すると、ブロック本体の底面を上方に向けた状態で調整ボルトを取付けることができる。
【発明の効果】
【００２３】
以上説明したように、請求項１記載の発明は、調整ボルトは上方に向けられた底面に取付けられるので、調整ボルトの取付けが容易となると共に、設置時の安全性が向上する。
【００２４】
請求項２記載の発明は、請求項１記載の発明の効果に加えて、調整ボルトの少なくとも３本は、基礎地盤の上に常に当接状態になるので、設置高さの調整が容易となる。
【００２５】
請求項３記載の発明は、請求項１又は請求項２記載の発明の効果に加えて、金属プレートの上に設置された調整ボルトの下面の摩擦抵抗が軽減するので、調整ボルトの水平方向への微調整が可能となる。
【００２６】
請求項４記載の発明は、請求項３記載の発明の効果に加えて、金属プレートの配置が基礎ブロックの各々の設置位置の目安になるので、基礎ブロックの設置作業が効率化する。
【００２７】
請求項５記載の発明は、ブロック本体の底面を上方に向けた状態で調整ボルトを取付けることができるので、調整ボルトの取付けが容易となると共に、設置時の安全性が向上する。
【図面の簡単な説明】
【００２８】
【図１】この発明の第１の実施の形態による基礎ブロックの外観形状を示した斜視図である。
【図２】図１の基礎ブロックに取付けられる調整ボルトの概略構成及び使用状態を示した図である。
【図３】図１で示した基礎ブロックの設置過程を説明するための概略工程図の一部である。
【図４】図３で示した工程図に続く基礎ブロックの設置過程を説明するための概略工程図の他の一部である。
【図５】図４で示した工程図に続く基礎ブロックの設置過程を説明するための概略工程図の更に他の一部である。
【図６】図５で示した工程図に続く基礎ブロックの設置過程を説明するための概略工程図の更に他の一部である。
【図７】図１で示した基礎ブロックの設置方法を用いたメガソーラーの設置過程を示した概略工程図である。
【図８】この発明の第２の実施の形態による基礎ブロックの外観形状を示した正面図である。
【図９】図８で示した基礎ブロックの外観形状を示した平面図である。
【図１０】この発明の第３から第５の実施の形態による種々の基礎ブロックの外観形状を示した平面図である。
【図１１】従来の、地上に設置されたメガソーラーの外観形状を示した概略図である。
【図１２】図１１におけるＸＩＩ−ＸＩＩラインの断面図である。
【図１３】他の従来の、現場での打設によって形成された基礎ブロックの周辺の概略構成を示した断面図である。
【発明を実施するための形態】
【００２９】
図１はこの発明の第１の実施の形態による基礎ブロックの外観形状を示した斜視図である。
【００３０】
図を参照して、基礎ブロック１１はプレキャストコンクリートよりなるブロック本体１２を中心として構成されている。尚、本実施の形態おけるブロック本体１２の形状は、基礎ブロック１１の設置工程全体のコストを低減させるべく、製造コストが安価で、施工に優れた単純な直方体としているが、立方体でも良い。
【００３１】
上方に向けられたブロック本体１２の底面１３には、後述する調整ボルトが螺合されるインサート１４が３箇所に埋め込まれている。又、ブロック本体１２の側面の対向する位置には、ブロック本体１２を上下反転可能とするための吊上げ用の一対の穴１５ａ、１５ｂが備えられている。更に、底面１３と対向する上面には、後述する支柱が取付けられる図示しない支柱用インサートが埋め込まれている。
【００３２】
図２は、図１の基礎ブロックに取付けられる調整ボルトの概略構成及び使用状態を示した図である。
【００３３】
まず図２の（１）を参照して、調整ボルト２１はターンバックル式ナット２３を中心として構成されている。ターンバックル式ナット２３の下方には全ネジボルト２４が螺合され、ターンバックル式ナット２３の上方には全ネジボルト２４とは反対方向のねじ山が切られた平頭ボルト２６が螺合されている。そして使用時には、全ネジボルト２４は、ブロック本体の底面１３に埋め込まれたインサート１４にその一部が螺合された状態でセットされる。次に図２の（２）を参照して、ターンバックル式ナット２３をいずれか一方向に回転させることによって、全ネジボルト２４の上端部２５と平頭ボルト２６の下面２７との距離が増減するため、底面１３から平頭ボルト２６の上面２８までの距離Ｈを増減させることにより基礎ブロック１１（図１参照）の設置高さの調整が可能となる。
【００３４】
図３から図６は図１で示した基礎ブロックの設置過程を説明するための概略工程図の一部である。
【００３５】
これらの図を参照して、まず図３に示されているように、基礎ブロック１１の、上方に向けられた底面１３に、インサート１４を介して調整ボルト２１を螺合させる。このように上方に向けられた底面１３に調整ボルト２１を取付けることで取付けが容易となる。次に一対の穴１５ａ、１５ｂにワイヤ１８に接続された吊り金具１９ａ、１９ｂを取付け、図示しないクレーン機能付きバックホウ等を用いてワイヤ１８を介して基礎ブロック１１を吊上げた状態で、底面１３を下方に反転させる。尚、吊上げ作業中に反転させた基礎ブロック１１が吊り金具１９から不用意に脱落しても、調整ボルト２１が取付けられていることで基礎ブロック１１は着地面から浮いた状態で着地する。そのため、脱落によって作業者の脚等が基礎ブロック１１に挟まれる危険性は低くなり、設置時の安全性が向上する。
【００３６】
次に、図４に示されているように、基礎地盤８３上の調整ボルト２１に対応する位置に前もって配置された金属プレート３０上に調整ボルト２１が位置するように基礎ブロック１１を設置する。
【００３７】
次に調整ボルト２１を調整し、基礎ブロック１１の設置高さを所望の位置に合わせる。
【００３８】
このようにすることで、金属プレート３０の配置が基礎ブロック１１の設置位置の目安となり設置作業が効率化する。又、これにより金属プレート３０上に設置された調整ボルト２１の下面２２の摩擦抵抗が軽減するため、調整ボルト２１の高さ方向のみならず水平方向への微調整が可能となる。
【００３９】
次に、図５に示されているように、基礎ブロック１１の下方部分を型枠３２で囲み、型枠３２内の基礎地盤８３上に図示しない所定量の生コンクリートを打設する。
【００４０】
そして図６に示されるように、生コンクリートが硬化した後で型枠３２（図５参照）を取り外すと、生コンクリートが硬化してなる基礎コンクリート３６上に設置された基礎ブロック１１が、その上面の高さ調整がされた状態で得られる。これによれば、基礎ブロック１１の下方は基礎コンクリート３６によって固定されているため、基礎ブロック１１上に取付けられる支柱６４を強固に保持することができる。又、所望の基礎コンクリート３６の形状に対応した型枠３２（図５参照）を使用することで、基礎コンクリート３６を効率良く形成することができる。
【００４１】
このようにして基礎ブロック１１を設置した後に、基礎ブロック１１上に支柱６４を取付けることができる。このとき、基礎ブロック１１の上方には予め支柱用インサート１６が埋め込まれているため、支柱６４を取付けるための穴開け作業を省略することができ、設置時間の短縮が可能となる。
【００４２】
このような工程とすることで、従来と比較して迅速且つ正確に基礎ブロックを設置することができる。
【００４３】
又、基礎ブロック１１の撤去時には、支柱６４を外した後、上述した基礎ブロック１１を反転させる作業と同様に、穴１５ａ、１５ｂに吊り金具を取付け、クレーン機能付きバックホウ等でワイヤを介して基礎ブロック１１を吊上げれば、基礎コンクリート３６と共に容易に撤去できる。このように本実施の形態によれば、基礎ブロック１１の撤去も迅速且つ低コストで行うことが可能となる。
【００４４】
図７は図１で示した基礎ブロックの設置方法を用いたメガソーラーの設置過程を示した概略工程図である。
【００４５】
まず、図７の（１）を参照して、雑草等を伐採してから、図示しないモータグレーダで地盤を不陸整正し、振動ローラにて転圧する。そして防草効果のある砕石（粒調砕石又はクラッシャラン）を１０〜２０ｃｍ敷均して基礎地盤８３を整備する。次に、後述する基礎ブロックを設置するために図示しない丁張を上げる。それから基礎地盤８３上の、設置される基礎ブロックの調整ボルトに対応する位置に金属プレート３０を配置する。
【００４６】
次に、図７の（２）を参照して、先の設置方法で示したように、基礎コンクリート３６を形成し、基礎ブロック１１上に支柱６４を取付ける。
【００４７】
次に、図７の（３）を参照して、支柱６４に太陽光パネル６２を取付け、メガソーラー６１を完成させる。
【００４８】
以上により、本実施の形態によれば、基礎ブロックの設置を迅速且つ正確に行うことでメガソーラーの大幅な工期の短縮が実現できる。具体的には、例えば図示しないクレーン機能付きバックホウを使用すれば、一日当たり６０基程度の多数の基礎ブロックを設置することができる。
【００４９】
図８はこの発明の第２の実施の形態による基礎ブロックの外観形状を示した正面図であり、図９は図８で示した基礎ブロックの外観形状を示した平面図である。
【００５０】
これらの図を参照して、基礎ブロック４１は、そのブロック本体４２が、下方に配置された直方体部分４３と、その上方に配置され、上に凸状の四角錐体部分４７とから構成されており、これらは一体成形されたプレキャストコンクリートから構成されている。直方体部分４３の底面４４には、その四隅に配置された調整ボルト２１ａ、２１ｂ、２１ｄ、２１ｅと、調整ボルト２１ｂと２１ｄとの間に配置された調整ボルト２１ｃとがそれぞれ着脱自在に取付けられている。一方、四角錐体部分４７の上方には底面４４と平行な面が形成されることで、支柱ベース６５が設置される平面視四角形状の設置部４８が設けられている。更に設置部４８には支柱６４を取付けるための図示しないボルトがねじ込まれる支柱用インサート１６が埋め込まれている。尚、他の構成については第１の実施の形態と同様であるのでここでの説明は繰り返さない。
【００５１】
このような基礎ブロック４１であれば、例えば基礎ブロック４１が雨に晒されても、雨水はブロック本体４２の四角錐体部分４７の傾斜表面を伝って下方に流れるため、基礎ブロック４１の水捌けは良くなる。従って基礎ブロック４１を用いることで、さらに雨水等による支柱６４の劣化も低減することができる。
【００５２】
尚、基礎ブロック４１にあっては、平面視逆三角形状に配置された調整ボルト２１ａ、２１ｃ、２１ｅは、それぞれ基礎ブロック４１の高さ調整に用いられるが、残りの調整ボルト２１ｂ、２１ｄについては、作業者の安全性を確保するため、即ち、基礎ブロック４１上を作業者が歩くときに基礎ブロック４１がバランスを崩してしまい、作業者が転倒するのを防ぐために取付けられている。従って調整ボルト２１ｂ、２１ｄについては短めに固定した状態で基礎ブロック４１に取付ければ良い。このように調整ボルト２１ａ、２１ｃ、２１ｅの少なくとも３本は基礎地盤８３上に常に当接状態とすれば、基礎ブロック４１の設置高さの調整が容易となる。
【００５３】
図１０は、この発明の第３から第５の実施の形態による種々の基礎ブロックの外観形状を示した平面図である。尚、これら各実施の形態による基礎ブロックは、そのブロック本体上方の形状が異なる以外は、第２の実施の形態のものと同一であるため、ここでの説明は繰り返さない。
【００５４】
まず図１０の（１）を参照して、第３の実施の形態にあっては、ブロック本体４２の上方部分を上に凸状の三角錐形状とし、その上部に設置部４８を設けるとともに支柱用インサート１６を埋め込むことで、平面視三角形状の基礎ブロック４１となっている。そしてブロック本体４２の底面４４の角の３箇所には、調整用ボルト２１ａ、２１ｂ、２１ｃが均等な間隔で配置され、これらはブロック本体４２に着脱自在に取付けられている。
【００５５】
次に図１０の（２）を参照して、第４の実施の形態にあっては、ブロック本体４２の上方部分を上に凸状の円錐状とし、その上部に設置部４８を設けるとともに支柱用インサート１６を埋め込むことで、平面視円形の基礎ブロック４１となっている。そしてブロック本体４２の底面４４の３箇所には、調整用ボルト２１ａ、２１ｂ、２１ｃが均等な間隔で配置され、これらはブロック本体４２に着脱自在に取付けられている。
【００５６】
次に図１０の（３）を参照して、第５の実施の形態にあっては、ブロック本体４２の上方部分を上に凸状の六角形状とし、その上部に設置部４８を設けるとともに支柱用インサート１６を埋め込むことで、平面視六角形状の基礎ブロック４１となっている。そしてブロック本体４２の底面４４の角のうち３箇所には、調整用ボルト２１ａ、２１ｂ、２１ｃが均等な間隔で配置され、これらはブロック本体４２に着脱自在に取付けられている。
【００５７】
これらの基礎ブロック４１構造を採用しても、第２の実施の形態と同様に、基礎ブロックの水捌けが良くなるという効果が得られる。又、調整ボルト２１ａ、２１ｂ、２１ｃが均等な間隔で配置されることでブロック本体４２の重量は調整ボルト２１ａ、２１ｂ、２１ｃに均等にかかるため、基礎ブロック４１がバランスを崩して転倒する虞もない。従って、調整ボルトの本数をそれ以上に増加させることなく、基礎ブロック４１を安定した状態で設置することができる。
【００５８】
尚、上記の各実施の形態では、基礎ブロックの、上方に向けられた底面に、設置高さを調整するための調整ボルトを螺合させているが、これに代えて、底面が下方に向けられた基礎ブロックを反転させてから、底面に調整ボルトを螺合させる構成としても良い。
【００５９】
又、上記の各実施の形態では、基礎ブロックを太陽光パネルの支柱を取付ける基礎として用いているが、他の構造物を取付ける構成としても良い。従ってフェンス、防音壁、看板、落石防護柵等の支柱を取付ける基礎としても同様に適用できる。
【００６０】
更に、上記の各実施の形態では、一対の穴は基礎ブロック内部を貫通することで一体化されていても良い。あるいは基礎ブロックに穴を設けずに、他の手段によって基礎ブロックを反転させる構成としても良い。
【００６１】
更に、上記の各実施の形態では、調整ボルトを３本又は５本取付けているが、取付ける調整ボルトの本数はそれ以外であっても良い。
【００６２】
更に、上記の各実施の形態では、金属プレートを用いているが、これに代えて、強化プラスチック等の他の摩擦係数の小さいプレートを用いても本発明と同様の効果が得られる。
【００６３】
更に、上記の各実施の形態では、配置された金属プレートを介して基礎地盤上に基礎ブロックを設置しているが、金属プレートを設けずに、基礎地盤上に直接、基礎ブロックを調整ボルトを介して設置しても良い。
【００６４】
更に、上記の各実施の形態では、高さ調整可能な調整ボルトを用いて基礎ブロックの高さ調整を行っているが、通常のボルトを用いて高さ調整を行っても良い。
【００６５】
更に、上記の各実施の形態では、型枠は基礎ブロックの形状に対応した平面視の形状としているが、型枠の形状は他の形状であっても良い。
【００６６】
更に、基礎ブロックの形状は、上記の各実施の形態における基礎ブロック以外の形状であっても良い。
【００６７】
更に、上記の各実施の形態では、支柱ベースが設置される設置部は、基礎ブロックの平面視の形状と同一形状であるが、設置部は、支柱ベースが収まるのであれば、三角形、四角形、略円形状、又は多角形等のどのような形状であっても良い。
【００６８】
更に、上記の各実施の形態では、支柱を取付けるためにインサートを埋め込んでいるが、それに代えてアンカーボルトを埋め込む構成としても良い。
【符号の説明】
【００６９】
１１…基礎ブロック
１３…底面
１５ａ、１５ｂ…穴
２１…調整ボルト
３０…金属プレート
８３…基礎地盤
尚、各図中同一符号は同一又は相当部分を示す。
【図１】
2014173399.tif 000003
【図２】
2014173399.tif 000004
【図３】
2014173399.tif 000005
【図４】
2014173399.tif 000006
【図５】
2014173399.tif 000007
【図６】
2014173399.tif 000008
【図７】
2014173399.tif 000009
【図８】
2014173399.tif 000010
【図９】
2014173399.tif 000011
【図１０】
2014173399.tif 000012
【図１１】
2014173399.tif 000013
【図１２】
2014173399.tif 000014
【図１３】
2014173399.tif 000015